(57)【要約】  半エンドレスの包装材ウェブを用いて平たい物体（１）を包装するために、包装材ウェブは物体（１）の列（４）の周囲に配置され、これらの物体は順々にそして間隔を取った形で搬送され、そこで縦方向継ぎ目が包装材ウェブに作成され、横方向継ぎ目が物体（１）の間に作成され、それにより包装された物体を相互に分離する。包装材ウェブが供給される前に列が形成される包装方法の従来技術とは異なり、本発明は、列が直接包装材ウェブ（２）上に形成され、その間に物体が加速により、それらが相互に重なりながら供給される供給流れ（３）から分離し、包装材ウェブ（２）上に直接位置付けられ、もしくはそれを押すことを提供する。包装材ウェブ（２）の上に列（４）を直接形成することはさらなる搬送ステップを除去し、それにより全体の要求されるコンベヤ線を短くし、搬送中の物体（１）を安定化させる安定化手段を不要とし、したがって大変コンパクトでシンプルな包装装置につながる。包装方法はとりわけ、数多くのスタックされた印刷物もしくはその他の平たい品物から成る物体を包装するのに適している。
2008501581.tif 000002
【特許請求の範囲】
【請求項１】
平たい物体（１）を包装する方法であって、平たい物体（１）は順々に列（４）をなし、相互に距離を取り、半エンドレス包装材ウェブ（２）の上もしくは下にウェブ方向に搬送され、包装材ウェブ（２）は列（４）の周囲に巻き付けられ、もしくはさらなる包装材ウェブ（２’）が列（４）の上もしくは下に供給され、このように両側を覆われた列の上では、列（４）の各２つの隣り合った物体（１１）の間で少なくとも１つの縦方向継ぎ目と横方向継ぎ目が作成されるので、各平たい物体（１）は包装材によってすべての側を囲まれる方法で、物体（１）が、列（４）をなして搬送されるとき、物体（１）のウェブ方向における物体距離（ｄ）が物体長さ（ｌ）よりも短い供給流れ（３）で物体（１）のウェブ方向に供給されることと、物体（１）が加速されることにより供給流れ（３）の先頭から連続して分離されることと、列（４）が包装材ウェブ（２）の上もしくは下に直接構築されるような形で、包装材ウェブ（２）の上もしくは下に直接連続して位置付けられることとを特徴とする方法。
【請求項２】
請求項１に記載の方法で、供給流れ（３）が基本的にウェブ方向に供給される重なった流れであり、供給流れにおいて物体はコンベヤ表面（３０）に相互に重なって置かれることと、供給流れから分離されるべく、物体（１）はウェブ方向に加速されることと、包装材ウェブ（２）は下方から供給されて、分離域においてウェブ方向に方向転換されることと、物体（１）は方向転換された包装材ウェブ（２）上に押されることとを特徴とする方法。
【請求項３】
請求項１に記載の方法で、供給流れ（３）は基本的にウェブ方向に供給される重なった流れであり、その供給流れにおいて物体はコンベヤ表面（３０）上に相互に重なり合って置かれることと、供給流れから分離されるべく、物体（１）はウェブ方向に加速されることと、包装材ウェブ（２）が上方から供給されて分離域においてウェブ方向に方向転換されることと、分離された物体（１）が方向転換された包装材ウェブ（２）と供給コンベヤ（６５）との間で押されることとを特徴とする方法。
【請求項４】
請求項１に記載の方法で、供給流れ（３）が、物体（１）のそれぞれがグリッパ（９０）によって保持され、物体が相互に重なり合って、上方から包装材ウェブ（２）へと供給されるグリッパ流れであることと、グリッパ流れの方向が、ウェブ方向に運搬される包装材ウェブ（２）上で転換され、その方向変更を通じて物体（１）が加速されることと、供給流れの方向転換域における物体（１）は、物体を包装材ウェブ（２）に堆積するべく開放されたグリッパ（９０）とを特徴とする方法。
【請求項５】
請求項１から４のうちのいずれか１項に記載の方法で、各平たい物体（１）は印刷物もしくは、少なくともそのうちの一部分が印刷物である、複数の平たい品目のスタック状の配置であることを特徴とする方法。
【請求項６】
請求項５に記載の方法で、スタック状の配置が相互に重なり合って供給流れに配置されること、もしくは供給流れ（３）が複数の重ね合わされた重なった流れから成ることを特徴とする方法。
【請求項７】
半エンドレスの包装材ウェブ（２）を用いて平たい物体（１）を包装する設備で、前記設備は、列には物体が順々に配置され、相互に距離を取った、物体（１）の列（４）を構築する第１の装置（５）と、包装材ウェブ（２）を供給し、包装材ウェブ（２）を列（４）と共にウェブ方向に運搬する第２の装置（６）と、包装材ウェブ（２）を列（４）の周囲に巻き付ける、もしくはさらなる包装材ウェブ（２’）を供給する第３の装置（７）と、継ぎ目を作成し、場合によっては包装された物体（１’）を相互に分離する第４の装置（８）とから構成され、第１の装置（５）の上流には供給流れ（３）を供給する供給手段が備えられ、供給流れにおいてウェブ方向における物体距離（ｄ）は物体長さ（ｌ）よりも短いことと、第１の装置（５）は加速手段（５１）から構成され、加速手段（５１）は各場合に供給流れ（３）の最先端の物体を加速するべく設計され配置されることと、加速手段（５１）は、各加速された物体（１）を包装材ウェブ（２）の上もしくは下に直接位置付けるべくさらに設計され配置されることとを特徴とする設備。
【請求項８】
請求項７にしたがった設備で、供給コンベヤ（６５）および／もしく
は供給表面（６６）が包装材ウェブ（２）およびその上もしくは下に位置付けられた物体（１）を支持するよう備えられたことを特徴とする設備。
【請求項９】
請求項７もしくは８にしたがった設備で、供給手段は基本的に、ウェブ方向に整列し、重なった流れを供給するのに適したコンベヤ表面（３０）であることと、加速手段（５１）はウェブ方向に物体を加速するべく設計されることと、第２の装置（６）は、包装材ウェブ（２）を下方からもしくは上方からウェブ方向へ転換するよう設計され、加速手段（５１）から直接続く下流に配置された方向転換手段（６４）から構成されることとを特徴とする設備。
【請求項１０】
請求項９に記載の設備で、加速手段（５１）は一対の上部および下部加速ローラー（５１．１、５２．２）、もしくは上部および下部加速ベルト、もしくは上部および下部カム歯車であり、加速ローラーもしくは加速ベルト、もしくはカム歯車は相互に対して押し付けられることが可能であり、加速ローラーもしくは加速ベルトの少なくとも一方もしくはカム歯車の一方が駆動されることを特徴とする設備。
【請求項１１】
請求項１０に記載の設備で、加速ローラー（５１．１、５１．２）もしくは加速ベルトもしくはカム歯車が、同軸に配置されウェブ方向に直角に移動可能な複数の部分ローラーもしくは部分ベルト、もしくは部分カム歯車から成ることを特徴とする設備。
【請求項１２】
請求項７もしくは８に記載の設備で、供給手段が相互に独立して搬送されることができるコンベヤ部材（９１）上もしくはコンベヤ要素上に配置されたグリッパ（９０）を有するグリッパコンベヤであることと、加速手段（５１）がグリッパコンベヤの方向の転換であり、各グリッパは１つの物体（１）を保持するように設計され、上方から包装材ウェブ（２）の方へ案内しウェブ方向に動くグリッパコンベヤが配置され、方向転換が包装材ウェブ（２）の上に配置されることと、グリッパ（９０）の連続した開放のために設計された制御手段が方向転換の領域に備えられることとを特徴とする設備。
【請求項１３】
請求項７から１２のいずれか１項に記載の設備で、第１の装置（５）が、包装材ウェブ（２）の上もしくは下に包装材ウェブに対して位置付けられる各物体（１）を押し付けるために配置され設計される位置付け補助（５５）からさらに構成されることを特徴とする設備。
【請求項１４】
請求項１３に記載の設備で、位置付け補助（５５）は、揺動可能なレバー（５５．２）に配置されて包装材ウェブ（２）もしくはその上に位置付けられる物体（１）の上で回転し、かつ包装材ウェブ（２）もしくはその上に位置付けられる物体（１）に対して少なくともその重さで押し付ける、補助ローラー（５５．１）であり、該補助ローラー（５５．１）は自由に回転可能であるか、もしくは包装材上部（２）と同じ速度で駆動されることを特徴とする設備。
【請求項１５】
請求項１３に記載の設備で、位置付け補助（５５）は、包装材ウェブ（２）と同じ速度で駆動され、上方から包装材ウェブ（２）もしくはその上に位置付けられた物体に作用するよう配置される補助ベルト（５５．３）であることを特徴とする設備。
【請求項１６】
請求項１３に記載の設備で、位置付け補助（５５）がカム（５５．５）を有するカムコンベヤ（５５．４）であり、該カムコンベヤ（５５．４）は、包装材ウェブ（２）上に位置付けられた物体（１）の先頭に上方から作用するカム（５５．５）が配置されるような形で配置され駆動可能であることを特徴とする設備。
【請求項１７】
請求項１４から１６のいずれか１項に記載の設備で、各場合において、補助ローラー（５５．１）、補助ベルト（５５．３）もしくはカム（５５．５）が、ウェブ方向に直角に移動できる複数の部分ローラー、部分ベルト、もしくは部分カムとして設計されることを特徴とする設備。
【発明の詳細な説明】
【技術分野】
【０００１】
本発明は、包装技術の分野にあり、各独立請求項の前文にしたがった方法および設備に関わる。方法および設備は、たとえばＣＤ、平たい製品サンプル、もしくは平たいサンプルバッグなどの、たとえば個別の印刷物、印刷物のスタック状のグループ、もしくは印刷物のスタック状のグループとその他の平たい品目などの平たい物体を包装するのに役立つ。
【背景技術】
【０００２】
半エンドレスの包装材ウェブ（たとえば、ロールから供給されるプラスチックフィルムもしくは紙ウェブ）を用いて、上述のタイプの平たい物体を包装することが知られている。それにより、このような包装材ウェブは、物体が順々に搬送され相互に距離を取っている、物体の列の周囲に巻き付けられる。あるいは、２つの包装材ウェブが、各側から１つずつこのような列に供給される。そこで包装材ウェブは列の上面のもしくは側面に沿った縦方向の継ぎ目で、また各２つの連続する物体の間の横方向の継ぎ目で、列の周囲で閉じられる。場合によっては、このように全面を包装材で囲まれた物体は、横方向の継ぎ目が作成された直後に、もしくはこれらの継ぎ目の作成と同時に、相互に分離される。
【０００３】
プラスチックフィルムが包装材として用いられる場合、縦方向および横方向の継ぎ目は通常、溶着によって作成され、包装された物体の分離は溶着と同時に行われてよい。包装材が紙である場合、包装される物体の列にウェブが供給される直前に、熱により活性化される接着剤が、包装材の上に、縦方向および横方向の継ぎ目位置に置かれてよい。そこで継ぎ目は、プラスチックの包装材の溶着継ぎ目に用いられるのと同様の手段を用いて作成される。エンボスによって、もしくは用いられる包装材に適合するその他の既知の方法によって、継ぎ目を閉じることもまた可能である。
【０００４】
上述の包装を実施する装置はたとえば、公報ＥＰ-０１７１２７８２、ＤＥ-３１２３９８８もしくはＥＰ-００１８０４１に開示される。
【０００５】
これらの公報に開示されるように、物体は、コンベヤ表面（たとえばコンベヤベルト）に、順々に配置され相互に距離を取る列をなして大まかに置かれ、包装されるべく供給される。連続する物体の間の距離は、物体の厚さおよび、横方向の継ぎ目を作成し、包装材を分離する適用される方法に適合される。列における物体の正確な配置を維持するために、コンベヤ表面に加えてコンベヤカムが用いられ、それにより平たい物体が、唯一のコンベヤ手段としてのコンベヤ表面を用いる場合に比べてより正確に循環する形で供給されることができる。半エンドレス包装材ウェブはそこで、コンベヤ表面の隙間を通じて下方から、もしくは上方から、平たい物体の列に供給され、包装材ウェブは物体の列と同じ速度である。
【０００６】
列を作成するために、物体は通常スタックから分離され、コンベヤ表面に個々に並べられる。
【０００７】
実際面では、物体の列を構築し、供給することを含む上述の包装方法は、比較的長いコンベヤ経路を必要とし、これは多くの場合、利用可能な空間の理由から、搬送方向における転換を含んでのみ実現される。このような方向転換において、加速力は方向を混乱させる形で平たい物体に影響するのみならず、とりわけこれらの物体が複数の平たい品物のスタックである場合、物体に不安定な影響を及ぼす。加えて、搬送能力が高い場合、速いコンベヤ速度およびそれによる高い空気抵抗があり、これらは同じ影響を物体に及ぼす。こ
れらの影響に対抗するため、設備の側では幅広い対策が必要であり、これにより必要とされるコンベヤ経路は通常さらに延ばされる。
【発明の開示】
【発明が解決しようとする課題】
【０００８】
したがって、本発明の目的は、半エンドレスの包装材ウェブを用いて、列をなす平たい物体を包装するのに役立つ方法および設備を作成することにあり、これにより、上述のような、既知のこのような方法および設備の不利点が回避されることができる。とりわけ、本発明にしたがった方法および設備は、コンベヤ経路を最小の長さへ削減することを可能にし、最も単純なコンベヤ手段で間に合わせるもので、そしてそれにもかかわらず安定性の低い物体であっても高いコンベヤ性能で包装することを可能にするものである。
【課題を解決するための手段】
【０００９】
本目的は、特許請求項に定義される方法および設備によって達成される。
本発明の基本概念は、このタイプの既知の包装方法のように、まず包装される物体の列を構築し、次いでコンベヤ表面に置かれたこの列を半エンドレスの包装材へ搬送するのではなく、列を包装材ウェブの上もしくは下に直接構築するものである。このことは、本発明にしたがって、包装に供給されるのは、搬送方向に順々に配置され相互に距離を取った物体の列ではなく、物体の相互間の距離が、列をなして搬送される時のその搬送方向の長さよりも短い供給流れであることを意味する。したがって供給流れは、たとえばコンベヤ表面上に置かれた重なり合った流れであり、この流れにおいて物体が相互に重なり合って搬送される。もしくはこれは、物体が個々に端領域で保持され、相互に短い距離をとって搬送されるグリッパ流れである。この供給流れから、物体は加速されることにより連続して個別化され、ウェブ方向に運搬される包装材ウェブの上もしくは下に直接位置付けられる。このような堆積はたとえば、物体をウェブ上に下ろすことにより、もしくはウェブ上に押し付けることにより、実現される。
【００１０】
ウェブ速度と供給速度との間の比率、ひいては物体を供給流れから分離して包装材ウェブに位置させるのに要求される物体の加速は、供給流れにおける物体の距離により、また包装材ウェブの上に構築される列における物体の長さおよび物体の距離により確定される。
【００１１】
ウェブ方向は基本的に水平であるので、包装材ウェブ上に置かれ、重力によって包装材ウェブに対して保持される平たい物体は、加速により位置付けられたウェブ上の位置に留まる。平たい物体が重なった流れで供給される場合、供給方向をウェブ方向と同一の鉛直面におおよそ水平に配置し、加速場所において包装材を下方もしくは上方からウェブ方向へ転換することが有利である。平たい物体がグリッパ流れで供給される場合、これらを上方もしくは下方から、ウェブ方向に動く包装材ウェブへと向け、それらを包装材ウェブの上もしくは下のウェブ方向へ直接転換することが有利である。
【００１２】
本発明にしたがった方法を用いて、比較的不安定な、たとえば異なるフォーマットの複数の印刷物のスタックなどの平たい物体が、物体を安定化させるさらなる手段を要することなく、プラスチックフィルムの上に位置付けられ、１時間につき４０，０００個を上回るコンベヤ能力で継ぎ目形成に供給され得ることが観察される。そこでは、個別化と位置付けと継ぎ目形成との間の経路が、もっぱらウェブのタイプとウェブが列の周囲に配置される方法とから確定され、２つのウェブを用いることでさらに減少し得る。
【発明を実施するための最良の形態】
【００１３】
本発明にしたがった方法および設備は、以下の図面に関連して詳細に説明される。
図１および２は、本発明にしたがった方法および設備の典型的な実施形態を示す。既に
初めに説明したように、これらは平たい物体１を半エンドレスの包装材ウェブ２を用いて包装するのに役立つ。物体は、供給流れ３（ここでは重なった流れ）で供給され、それらは包装材ウェブ２上に、列４を包装材ウェブ上に形成するような形で、順々に位置付けられる。物体は、供給流れ３で、相互に距離ｄを取って搬送され、ｄは搬送方向における物体の長さｌよりも短い。横方向の継ぎ目については、列４で順々に搬送される物体１の間に距離ｑが規定される。
【００１４】
設備は基本的に、相互に協調する次の４つの装置から構成される：列を構築する第１の装置５で、物体１を供給流れ３から加速により分離し、それらを包装材ウェブ２の上（もしくは下、図７を参照のこと）に直接位置付ける、本発明にしたがった手段と、包装材ウェブ２を供給し、包装材ウェブ２を列４と共に運搬する第２の装置６と、包装材ウェブ２を列４の周囲に巻き付ける（もしくはさらなる包装材ウェブを供給する、図６を参照のこと）第３の装置７と、継ぎ目を作成し、場合によっては、包装された物体１’を相互に分離する第４の装置８。
【００１５】
列４を構築する第１の装置５は加速手段５１から構成され、それによって物体が供給流れ３の先端から連続的に加速され、それによりその先端から分離し、すなわち個別化され、同時に包装材ウェブ上に位置付けられる。加速手段５１はたとえば、一対の上部および下部加速ローラー５１．１と５１．２、もしくは複数のこのような対である。加速ローラー５１．１と５１．２の代わりに、適切に配置された回転加速ベルトもしくはカム歯車が用いられてもよい。
【００１６】
包装材ウェブ２を供給し、このウェブを列４と共に運搬する第２の装置６は、供給ロール６１から包装材ウェブ２を連続的に引き出し、それをウェブ方向に動かす引き出し手段６０と、包装材ウェブを一定の張りで維持する引っ張り手段６２とから構成される。引き出し手段６０は、包装材２が既に列４の周囲に巻き付けられたところ、すなわち第３の装置７の下流に、有利に配置される。ウェブ動作の方向を転換する必要なく、この引き出し機能を行うことができるように、引き出し手段６０はたとえば、上部および下部引っ張りベルト６０．１と６０．２の協調対として設計され、２つの引っ張りベルトは、包装材ウェブに包まれた列３を上下から押し、引っ張りベルトの少なくとも一方はウェブ速度で駆動される。引っ張りベルト６０．１と６０．２の代わりに、適切な引き出しローラーもまた用いることができる。引っ張り手段６２は、包装される物体が包装材ウェブの上もしくは下に位置付けられる位置の上流に配置され、たとえば一対の引っ張りローラーから成る。さらに、図１および２にしたがった実施形態の第２の装置６は、方向転換手段６４（たとえば転換バー）から構成され、それにより包装材ウェブが加速手段５１の活動域内のウェブ方向に方向転換される。
【００１７】
包装材ウェブ２を列４の周囲に巻き付ける（もしくは図６にしたがって、さらなる包装材ウェブを供給する）第３の装置７は、引き出し手段６０の上流で、これと方向転換手段６４との間で作動し、方向転換手段そのものは既に、たとえばアーチ状の方向転換バーとして設計されることで、包装材ウェブ２に折り返し作用を及ぼしているであろう。第３の装置７はたとえば、それ自体既知の方法で、列４の上に配置された一連の折り返しローラー７０の対から構成され、対の折り返しローラー７０の間の距離はウェブ方向につれ短くなるので、包装材ウェブ２の２つの縦方向端は列４の上で相互に向かって案内される。それを用いて列の上に配置された包装材ウェブの縦方向の端が列の下（図７参照のこと）に共に案内されるところの、対応する装置がまた既知である。もちろん、包装材ウェブ２の中央に列４を堆積せず、その片側に堆積し、包装材ウェブを片側のみから列の周囲に巻き付けることもまた可能である。
【００１８】
継ぎ目を作成する第４の装置８は、縦方向の継ぎ目を作成する手段８０および横方向の
継ぎ目を作成する手段８１から構成される。図１および２に示されるように、縦方向の継ぎ目を作成する手段８０は、引き出し手段６０の上流に、横方向の継ぎ目を作成する手段８１は、その下流に、有利に配置される。継ぎ目で包装材を結合するのに適した任意の既知のこのような手段が、手段８０および８１として適用されてよい。プラスチックフィルムが包装材として用いられる場合、適切に設計され、配置された溶着ヘッドが、とりわけ有用である。とりわけ、逆押し付けベルト８４と協調する溶着ヘッド８３の回転配置８２が、横方向の継ぎ目を作成する手段８１として適切である。このような配置は、本出願との同日付けの特許出願に詳細に説明される。
【００１９】
本発明の部分ではない、供給流れ３を構築するそれ自体既知の方法が適用されてもよい。たとえば、重なった流れは、物体をスタックから取るフィーダ３２を用いて、物体をリールから取る屈曲ステーションを用いて、物体を直接回転印刷機から取るグリッパコンベヤ３３を用いて、供給ベルト３０上に堆積されてもよい。高い出力流れが処理される後者の場合、２以上の平行な重なった流れが堆積されるよう、グリッパ流れは、ループ方法で有利に案内される。このような平行な重なった流れに堆積された物体は、本発明にしたがって、同一の包装材ウェブに、個別化され、位置付けられることができ、次いで平行な列として包装されることができる。このような場合、十分に広い包装材ウェブを用いて、平行な列の間にさらなる縦方向継ぎ目を作成する手段を提供する必要がある。
【００２０】
図３は、図１および２よりもいくらか大きなスケールで、物体１を加速することで供給流れから分離し、それらを包装材ウェブ２の上に直接位置付けるステップを示す。図１および２におけるのと同じ要素は、同じ参照番号で示される。
【００２１】
供給流れ３はこの場合、重ね合わされた３つの重なった流れから成り、そのそれぞれに１つの品目タイプ（異なる網掛けで表される）が与えられる。３つの重なった流れは、すべての重なった流れにおいて、品目が相互に同じ距離ｄを取って搬送されるような形で、またすべての重なった流れの品目の先端が相互に整列するような形で、相互に一致し、同調する。このように、平たい物体１は、重ね合わされた重なった流れに予備成型され、それぞれの場合において、その先端が相互に整列し、それぞれの場合において１つが重なった流れのそれぞれに属する、３つの品目から成る。これらの物体１は、図３の左に、列４の包装材ウェブ２上に置かれて示される。供給流れ３における平たい物体１はまた、本発明にしたがった方法もしくは設備の適用を必要とせず、単に相互に重なるような形で配置されてもよい。
【００２２】
供給流れ３は、供給ベルト３０を用いて、供給速度ｖ．１で供給される。供給ベルト３０はさらに、支持表面３１によって支持されてもよい。供給ベルト３０の先端には、上部および下部加速ローラー５１．１と５１．２から構成される加速手段５１が配置される。加速ローラーのうちの下部のものは、たとえば周速度ｖ．２で駆動され、一方、上部のものは、その重さを用いて、もしくは適切に配置されたバネの力を用いて、下部加速ローラー５１．２に対して付勢されるような形で、たとえば揺動可能な（二方向矢印Ａ）レバー５１．３上に自由に回転する形で配置される。両方の加速ローラーを周速度ｖ．２で駆動することもまた可能である。
【００２３】
加速手段の下流には、包装材ウェブを、供給方向のほぼ直線的な継続であるウェブ方向へと転換する方向転換手段６４が続く。包装材ウェブ２は、引き出し手段（図３には示されない）によって、速度ｖ．３（ウェブ速度）で、加速手段５１から離れて運搬され、これは支持コンベヤ６５および／もしくは支持表面６６によって支持される。
【００２４】
速度比ｖ．３：ｖ．１（供給速度に対するウェブ速度）は、比率ｄ：（１＋ｑ）に等しい。速度ｖ．２（加速ローラーの周速度）は、少なくともｖ．３と同じ大きさである。こ
れによって、供給流れにおける最も先頭の物体が、次にくる物体が加速手段５１の活動域に入る前に、そこから完全に分離されることが保証される。同様に、加速された物体が包装材ウェブ上にしっかりと位置付けられることができることが保証される。位置付けは、図示される場合においては、物体を包装材ウェブに対して保持する、重力によって支持される。位置付けは、新たに位置付けられた各物体１に、これを包装材ウェブ上に押し付けることにより作用する位置付け補助５５によってさらに支持され得る。位置付け補助５５はたとえば、その重さにより、または適切に配置されたバネにより下向きに付勢されつつ、自由に回転する形で、またこれが包装材ウェブ上もしくはその上に位置付けられた物体上で回転するような形で、揺動可能な（二方向矢印Ｂ）レバー５５．２上に配置される補助ローラー５５．１である。補助ローラー５５．１はまた、ウェブ速度ｖ．３で駆動されてもよい。
【００２５】
加速手段５１と位置付け補助５５との間の距離ｒは、物体の長さｌと大まかに同じである。有利には、距離ｒは異なる物体の長さｌに適応するべく、たとえば揺動レバー５５．２（二方向矢印Ｃ）の移動によって、調整されることができる。
【００２６】
補助ローラー５５．１と同様、加速ローラー５１．１と５１．２は、それぞれ１つのローラーとして設計されてよく、ローラーは包装される物体１の幅と大まかに同じ軸長を有する。しかし有利には、ローラーのそれぞれは、包装される物体のフォーマットおよび形状によって位置付けられることができるような形で、ウェブ方向に直角に移動可能な複数の同軸の部分ローラーとして設計される。このような移動可能性により、ローラーがたとえば、物体の巻き端に影響しないようにし、それによってこれらの巻き端が損傷しないようにすることが可能である。加速および補助ローラーのこのような設計は、どちらの場合も２つの加速部分ローラーおよび３つの補助部分ローラーが示される、図２からはっきりわかる。
【００２７】
図４および５は、物体１を供給流れ３の先頭から分離し、それらを包装材ウェブ２上に位置付けて列４をこのウェブ上に形成するステップの、さらなる２つの実施形態を示す。２つの実施形態は、とりわけ異なるように設計された位置付け補助５５により、図１から３にしたがった実施形態と異なる。
【００２８】
図４は、有利には速度ｖ．３（ウェブ速度）で駆動され、図３の補助ローラー５５．１と同様の方法で、ウェブ方向と直角に移動可能な複数の部分ベルトとして設計されてよい、補助ベルト５５．３の形状をした位置付け補助５５を示す。図５は、カム５５．５を有するカムコンベヤ５５．４の形状をした位置付け補助５５を示し、当該カムコンベヤは上方から位置付けされた物体１に作用する。カムは、相互に１＋ｑの距離を取って、コンベヤ部材上に配置される。カムは、ウェブ速度ｖ．３で駆動され、これらが整列する形で、包装材ウェブ上に位置付けられた物体１の先端に作用するような形で、供給流れ３と同調する。カム５５．５は、図３にしたがった補助ローラーと同じ形で同時に作用する複数の部分カムと、図４にしたがった補助ベルトとから有利に構成される。
【００２９】
図４および５に表される、本発明にしたがった方法の実施形態の間のさらなる差異は、供給流れ３に関する。図４にしたがった供給流れ３は平たい物体の単に重なった流れである一方、図５にしたがった供給流れは、複数の重ね合わされた部分流れから構成される。これらの部分流れのすべてが図３のような重なった流れではないが、これらは包装される物体（各場合において各部分流れから１つの品目のグループ）間の距離ほど長くない長さをコンベヤ方向に有することが明らかであるので、これらは部分的に、順々に搬送される平たい品目から成る。明白に、供給流れ３および包装される物体の性質については、本発明にしたがった方法とは関連がなく、供給流れにある以上は、包装される物体間の距離は各物体の最も長い品目の長さよりも短いので、供給速度ｖ．１はウェブ速度ｖ．３よりも
小さい。
【００３０】
図６は、包装される物体を加速により供給流れ３から分離し、それらを包装材ウェブ２上に位置付けるステップのさらなる典型的な実施形態を極めて概略的に示す。本実施形態における供給流れ３は、ウェブ方向に運搬される包装材ウェブ２に対して上方から向けられるグリッパ流れであり、グリッパ流れはウェブの上で方向を転換する。グリッパ流れにおいて、各物体１はグリッパ９０に保持されて、まっすぐなコンベヤ経路に沿って運搬され、グリッパ９０間の距離は物体の長さよりも短い。グリッパ９０は、コンベヤ部材上に、たとえば方向転換時にグリッパがウェブ速度ｖ．３に達するような、もしくはそれらの距離がそれぞれ１＋ｑに増加するように加速されるような形で、この部材から一端が飛び出したグリッパチェーン（鎖線９１）上に配置される。グリッパ流れにおける方向の転換はしたがって、加速手段５１として作用することができる。このことは、グリッパ９０とそれらによって保持される物体１とが、方向転換の位置でｖ．１からｖ．３へ連続的に加速され、それによって個別化され、方向転換位置を過ぎてその下を運搬される包装材ウェブ２上に位置付けられ、グリッパ９０が位置付けのために順々に開けられることを意味する。
【００３１】
グリッパ９０は、コンベヤ部材の上に配置される代わりに、それぞれ適切なコンベヤ要素の上に配置されてもよく、コンベヤ要素は相互に独立して搬送されることができる。このような場合、図６の鎖線９１はコンベヤ要素のレールとして理解されるべきであり、方向転換位置は、たとえばサイクル輪として設計される。グリッパ９０は、対応するコンベヤ部材の場合と同じように、コンベヤ要素の上に一端が飛び出すように配置される。
【００３２】
異なる物体長さｌに調整可能な図６にしたがった設備を提供すべく、コンベヤ部材もしくは要素および／もしくは方向転換形状（半径、角度）からのグリッパの突起は調整可能である。
【００３３】
図６は、とりわけ、包装材ウェブを物体の列の周囲に巻き付ける代わりに、さらなるこのようなウェブ２’がさらなる供給ロール６１’から上方から供給されるとき、図示される供給、個別化および位置付けを用いて、設備を図１から５にしたがったものよりも一層コンパクトな形で設計することが可能になることを示す。その中で、さらなる包装材ウェブをウェブ方向に転換する手段は、位置付け補助５５と同時に機能してもよい。
【００３４】
図７は、包装される平たい物体１を供給流れから分離し、それらを位置付けるステップのさらなる実施形態を示し、この場合、包装材ウェブ２は、加速手段５１の作動域において、上方からウェブ方向へと転換され、物体１は包装材ウェブ２の下、つまり包装材ウェブ２と支持コンベヤ６５との間に位置付けられる。位置付け補助５５がこの場合に適用されてもよい。列４の上に配置される包装材ウェブ２の列４の周囲への巻き付けは、最先端技術から既知であり、この理由から、ここにはさらに説明されない。
【図面の簡単な説明】
【００３５】
【図１】本発明にしたがった設備の典型的な実施形態の概略図であり、本発明にしたがった方法の基本原理を説明するのに役立つ（図１：側面図）。
【図２】本発明にしたがった設備の典型的な実施形態の概略図であり、本発明にしたがった方法の基本原理を説明するのに役立つ（図２：平面図）。
【図３】図１および２よりもいくらか大きなスケールで、加速することにより供給流れから物体を分離し、それらを包装材ウェブ上に位置付けるステップを示す。
【図４】図３のように、しかし他の位置付け手段を用いて、分離し位置付けるステップを示す。
【図５】図３のように、しかし他の位置付け手段を用いて、分離し位置付けるステップを示す。
【図６】供給流れから加速により物体を分離し、それらを包装材ウェブの上に位置付けるステップのさらなる実施形態を示す。
【図７】供給流れから加速により物体を分離し、それらを、この場合は上方から供給される、包装材ウェブの下に位置付けるステップのさらなる実施形態を示す。
【図１】
2008501581.tif 000003
【図２】
2008501581.tif 000004
【図３】
2008501581.tif 000005
【図４】
2008501581.tif 000006
【図５】
2008501581.tif 000007
【図６】
2008501581.tif 000008
【図７】
2008501581.tif 000009
【国際調査報告】
2008501581.tif 000010
2008501581.tif 000011
2008501581.tif 000012
2008501581.tif 000013
2008501581.tif 000014
2008501581.tif 000015